(57)【要約】【課題】  無線基地局における呼接続処理において、回線リソース割当の処理時間を短縮させる。【解決手段】  回線リソース割合モデル生成手段１３は、無線基地局にあって、予め定められた周期で呼種ごとの呼量の割合を回線リソース割合モデルテーブル１４に更新設定する。管理テーブル更新手段１５は、同じ周期で回線リソース割合モデルテーブル１４を参照して複数のリソース単位からなる回線リソースを呼種単位に呼種の呼量の割合に応じて配分し、該配分後に呼種単位に回線リソースの各回線の使用状態及び物理資源アドレスを管理する回線リソース管理テーブル１６を更新する。回線リソース設定手段１２は、上位局２から呼接続要求メッセージを受信すると回線リソース管理テーブル１６から空きの回線を選択する。【選択図】      図１
2005341280.tif 000002
【特許請求の範囲】
【請求項１】
無線基地局にあって、予め定められた周期で複数のリソース単位からなる回線リソースを呼の種類を示す呼種単位に配分し、上位局から呼接続要求メッセージを受信すると前記呼種ごとに配分された前記回線リソースから空き回線を選択することを特徴とする無線基地局の回線リソース割当方法。
【請求項２】
前記回線リソースは、前記呼種の呼量の割合に応じて配分されることを特徴とする請求項１記載の無線基地局の回線リソース割当方法。
【請求項３】
前記無線基地局は、１つの呼に複数の前記リソース単位を使用する前記呼種に対しては前記複数のリソース単位を１回線として前記回線リソースを管理することを特徴とする請求項１記載の無線基地局の回線リソース割当方法。
【請求項４】
前記リソース単位がモデムであることを特徴とする請求項１記載の無線基地局の回線リソース割当方法。
【請求項５】
前記呼種が、音声、パケット、ＦＡＸからなることを特徴とする請求項１記載の無線基地局の回線リソース割当方法。
【請求項６】
無線基地局にあって、予め定められた周期で呼種ごとの呼量の割合を回線リソース割合モデルテーブルに更新設定し、前記周期で前記回線リソース割合モデルテーブルを参照して複数のリソース単位からなる回線リソースを呼種単位に前記呼種の呼量の割合に応じて配分し該配分後に前記呼種単位に前記回線リソースの各回線の使用状態及び物理資源アドレスを管理する回線リソース管理テーブルを更新し、上位局から呼接続要求メッセージを受信すると前記回線リソース管理テーブルから空きの回線を選択することを特徴とする無線基地局の回線リソース割当方法。
【請求項７】
前記無線基地局は、１つの呼に複数の前記リソース単位を使用する前記呼種に対しては前記複数のリソース単位を１回線として前記回線リソース管理テーブルを管理することを特徴とする請求項６記載の無線基地局の回線リソース割当方法。
【請求項８】
前記リソース単位がモデムであることを特徴とする請求項６記載の無線基地局の回線リソース割当方法。
【請求項９】
前記呼種が、音声、パケット、ＦＡＸからなることを特徴とする請求項６記載の無線基地局の回線リソース割当方法。
【請求項１０】
無線基地局であって、予め定められた周期で複数のリソース単位からなる回線リソースを呼の種類を示す呼種単位に配分するリソース配分手段と、上位局から呼接続要求メッセージを受信すると前記呼種ごとに配分された前記回線リソースから空き回線を選択する回線リソース設定手段とを含んで構成されることを特徴とする無線基地局の回線リソース割当方式。
【請求項１１】
前記回線リソースは、前記呼種の呼量の割合に応じて配分されることを特徴とする請求項１０記載の無線基地局の回線リソース割当方式。
【請求項１２】
前記リソース配分手段は、１つの呼に複数の前記リソース単位を使用する前記呼種に対しては前記複数のリソース単位を１回線として前記回線リソースを管理することを特徴とする請求項１０記載の無線基地局の回線リソース割当方式。
【請求項１３】
前記リソース単位がモデムであることを特徴とする請求項１０記載の無線基地局の回線リソース割当方式。
【請求項１４】
前記呼種が、音声、パケット、ＦＡＸからなることを特徴とする請求項１０記載の無線基地局の回線リソース割当方式。
【請求項１５】
無線基地局であって、予め定められた周期で呼種ごとの呼量の割合を回線リソース割合モデルテーブルに更新設定する回線リソース割合モデル生成手段と、前記周期で前記回線リソース割合モデルテーブルを参照して複数のリソース単位からなる回線リソースを呼種単位に前記呼種の呼量の割合に応じて配分し該配分後に前記呼種単位に前記回線リソースの各回線の使用状態及び物理資源アドレスを管理する回線リソース管理テーブルを更新する管理テーブル更新手段と、上位局から呼接続要求メッセージを受信すると前記回線リソース管理テーブルから空きの回線を選択する回線リソース設定手段とを含んで構成されることを特徴とする無線基地局の回線リソース割当方式。
【請求項１６】
前記管理テーブル更新手段は、１つの呼に複数の前記リソース単位を使用する前記呼種に対しては前記複数のリソース単位を１回線として前記回線リソース管理テーブルを管理することを特徴とする請求項１５記載の無線基地局の回線リソース割当方式。
【請求項１７】
前記リソース単位がモデムであることを特徴とする請求項１５記載の無線基地局の回線リソース割当方式。
【請求項１８】
前記呼種が、音声、パケット、ＦＡＸからなることを特徴とする請求項１５記載の無線基地局の回線リソース割当方式。
【発明の詳細な説明】
【技術分野】
【０００１】
本発明は無線基地局における回線リソース割当方法に関し、特に回線リソース割当時間を短縮させる無線基地局の回線リソース割当方法及び無線基地局の回線リソース割当方式に関する。
【背景技術】
【０００２】
図６は、無線基地局装置と上位局との間での、従来の呼処理サービスの流れを示す図である。
【０００３】
図６を参照すると、無線基地局装置は、上位局から呼設定要求メッセージを受信すると、ステップ１として回線リソースの割当処理を行う。この処理は、回線リソース空き状況の確認、空きリソースの割当処理、呼番号の割当、ユーザテーブルへの該当回線リソース情報等のユーザデータの設定等からなる。そして、上位局へ呼設定応答メッセージを返信する。
【０００４】
次に、上位局より該当する割当回線リソースに対しての呼接続要求メッセージを受信すると、ステップ２を行う。ステップ２では、通話のための呼接続処理を行い、上位局へ呼接続応答メッセージを通知する。
【０００５】
通話後に、上位局より該当する割当回線リソースに対しての呼解放要求メッセージを受信すると、ステップ３を行う。ステップ３では、回線リソースの解放処理、ユーザテーブル等の呼データの解放処理、上位局への呼解放応答メッセージの通知を行い、呼処理サービスを終了する。
【０００６】
ここで、上記の回線リソースとは、例えばモデムから構成される。そして、１つのモデムで処理できる伝送能力は決まっている。基地局は、ユーザ（チャネル）に対する必要な無線リソースを、モデムによって割り当てる。音声などの伝送レートの低い情報（例えば１２．２ｋｂｐｓ）の場合は、１モデムをチャネルに割り当てればよい。他の呼種、例えばパケット通信（注）や、ＦＡＸ通信の場合は、複数のモデム割当が必要になる。（注）パケット通信の場合伝送レートは高く、６４ｋｂｐｓ、１２８ｋｂｐｓ、２５６ｋｂｐｓ、３８４ｋｂｐｓ等がある。
【０００７】
１つのベースバンド処理カード（回線リソースに対してのハードウエアの分割単位）には、複数のモデムが収容されている。１つのチャネルに複数のモデムを割り当てる場合、通常は若番のカードの若番のモデムから順に、連続した割り当て可能な空モデムが存在するか探索する。探索の結果、空モデムが存在する場合、該カードの連続した空モデムをチャネルに割り当てる。
【０００８】
しかし、最終のベースバンド処理カードまで探索しても、連続した割り当て可能な空モデムが存在しない場合、カード内のリソース再配置処理を行う。これは、カード内において、使用中のモデムの呼を空きのモデムに入れ替えることにより、ベースバンド処理カード内に連続した空モデムを生成する処理である。
【０００９】
このカード内のリソース再配置処理を行っても、連続した割り当て可能な空モデムが生成できない場合、カード間のリソース再配置処理を行う。これは、あるベースバンド処理カードから他のベースバンド処理カードに呼を入れ替えることにより、元のベースバンド処理カード内に連続した空モデムを生成する処理である（例えば、特許文献１参照。）。
【００１０】
【特許文献１】特開２００３−８７８５４号公報（段落００１０〜段落００１４）
【発明の開示】
【発明が解決しようとする課題】
【００１１】
上述した従来の無線基地局の回線リソース割当方法では、パケット通信やＦＡＸ通信のような伝送レートの高い情報の場合、回線リソース割当の処理時間がかかるという問題があった。その理由は、上位局から呼を受けるたびに連続した空モデムの探索が必要になるからである。他の理由は、連続した空モデムの探索時、カード内に連続した空モデムが存在しない場合のカード内のリソース再配置処理やカード間のリソース再配置処理を、上位局から呼を受けるたびに行わねばならないからである。
【００１２】
本発明の目的は無線基地局における呼接続処理において、回線リソース割当の処理時間を短縮させる無線基地局の回線リソース割当方法及び無線基地局の回線リソース割当方式を提供することにある。
【課題を解決するための手段】
【００１３】
第１の発明は、無線基地局にあって、予め定められた周期で複数のリソース単位からなる回線リソースを呼の種類を示す呼種単位に配分し、上位局から呼接続要求メッセージを受信すると前記呼種ごとに配分された前記回線リソースから空き回線を選択することを特徴とする。
【００１４】
第２の発明は、第１の発明の前記回線リソースは、前記呼種の呼量の割合に応じて配分されることを特徴とする。
【００１５】
第３の発明は、第１の発明の前記無線基地局は、１つの呼に複数の前記リソース単位を使用する前記呼種に対しては前記複数のリソース単位を１回線として前記回線リソースを管理することを特徴とする。
【００１６】
第４の発明は、第１の発明の前記リソース単位がモデムであることを特徴とする。
【００１７】
第５の発明は、第１の発明の前記呼種が、音声、パケット、ＦＡＸからなることを特徴とする。
【００１８】
第６の発明は、無線基地局にあって、予め定められた周期で呼種ごとの呼量の割合を回線リソース割合モデルテーブルに更新設定し、前記周期で前記回線リソース割合モデルテーブルを参照して複数のリソース単位からなる回線リソースを呼種単位に前記呼種の呼量の割合に応じて配分し該配分後に前記呼種単位に前記回線リソースの各回線の使用状態及び物理資源アドレスを管理する回線リソース管理テーブルを更新し、上位局から呼接続要求メッセージを受信すると前記回線リソース管理テーブルから空きの回線を選択することを特徴とする。
【００１９】
第７の発明は、第６の発明の前記無線基地局は、１つの呼に複数の前記リソース単位を使用する前記呼種に対しては前記複数のリソース単位を１回線として前記回線リソース管理テーブルを管理することを特徴とする。
【００２０】
第８の発明は、第６の発明の前記リソース単位がモデムであることを特徴とする。
【００２１】
第９の発明は、第６の発明の前記呼種が、音声、パケット、ＦＡＸからなることを特徴とする。
【００２２】
第１０の発明は、無線基地局であって、予め定められた周期で複数のリソース単位からなる回線リソースを呼の種類を示す呼種単位に配分するリソース配分手段と、上位局から呼接続要求メッセージを受信すると前記呼種ごとに配分された前記回線リソースから空き回線を選択する回線リソース設定手段とを含んで構成されることを特徴とする。
【００２３】
第１１の発明は、第１０の発明の前記回線リソースは、前記呼種の呼量の割合に応じて配分されることを特徴とする。
【００２４】
第１２の発明は、第１０の発明の前記リソース配分手段は、１つの呼に複数の前記リソース単位を使用する前記呼種に対しては前記複数のリソース単位を１回線として前記回線リソースを管理することを特徴とする。
【００２５】
第１３の発明は、第１０の発明の前記リソース単位がモデムであることを特徴とする。
【００２６】
第１４の発明は、第１０の発明の前記呼種が、音声、パケット、ＦＡＸからなることを特徴とする。
【００２７】
第１５の発明は、無線基地局であって、予め定められた周期で呼種ごとの呼量の割合を回線リソース割合モデルテーブルに更新設定する回線リソース割合モデル生成手段と、前記周期で前記回線リソース割合モデルテーブルを参照して複数のリソース単位からなる回線リソースを呼種単位に前記呼種の呼量の割合に応じて配分し該配分後に前記呼種単位に前記回線リソースの各回線の使用状態及び物理資源アドレスを管理する回線リソース管理テーブルを更新する管理テーブル更新手段と、上位局から呼接続要求メッセージを受信すると前記回線リソース管理テーブルから空きの回線を選択する回線リソース設定手段とを含んで構成されることを特徴とする。
【００２８】
第１６の発明は、第１５の発明の前記管理テーブル更新手段は、１つの呼に複数の前記リソース単位を使用する前記呼種に対しては前記複数のリソース単位を１回線として前記回線リソース管理テーブルを管理することを特徴とする。
【００２９】
第１７の発明は、第１５の発明の前記リソース単位がモデムであることを特徴とする。
【００３０】
第１８の発明は、第１５の発明の前記呼種が、音声、パケット、ＦＡＸからなることを特徴とする。
【発明の効果】
【００３１】
以上説明したように、本発明により、パケット通信やＦＡＸ通信のような伝送レートの高い情報の場合も、回線リソースの割当処理を迅速に行うことができる効果がある。
【００３２】
その理由は、回線リソースを一定時間毎に呼種ごとの呼量の比率に応じて呼種ごとに配分するようにしたため、伝送レートの高い情報も予め回線単位でリソースが割り当てられるようになったからである。即ち、上位局から呼を受けるたびに連続した空モデムの探索をする必要がなくなるからである。他の理由は、カード内に連続した空モデムが存在しない場合のカード内のリソース再配置処理やカード間のリソース再配置処理を、呼を受けるたびにではなく、一定時間毎に行えばよいからである。
【発明を実施するための最良の形態】
【００３３】
次に、本発明を実施するための最良の形態について図面を参照して詳細に説明する。
【００３４】
図１は本発明に係わる無線基地局の無線リソース割当処理部１の最良の形態を示すブロック図である。
【００３５】
図１を参照すると無線基地局１の無線リソース割当処理部１は受信手段１０、送信手段１１、回線リソース設定手段１２を含む。そしてさらに、回線リソース割合モデル生成手段１３、回線リソース割合モデルテーブル１４、管理テーブル更新手段１５、回線リソース管理テーブル１６を含んで構成される。
【００３６】
受信手段１０は、上位局２からのメッセージを受信する手段である。また、送信手段１２は、上位局２へメッセージを送信する手段である。回線リソース設定手段１２は、上位局より呼設定要求メッセージの受信時に、回線リソース管理テーブル１６を参照する。そして、回線リソース設定手段１２は、空きのリソース（モデム）を選択し、チャネルに割り当てる。回線リソース割合モデル生成手段１３は、回線リソース設定手段１２により通知される呼種について、一定時間（例えば１時間）毎に呼種ごとの呼量の比率を計算する。そして、回線リソース割合モデル生成手段１３は、計算された比率に対応させて回線リソース割合モデルテーブルの更新設定を行う。回線リソース割合モデルテーブル１４は、一定時間（例えば１時間）毎に回線リソース割合モデル生成手段１３によって更新され、更新された呼種ごとの呼量の比率を提示するテーブルである。管理テーブル更新手段１５は、一定時間（例えば１時間）毎に回線リソース割合モデルテーブルを参照する。そして、管理テーブル更新手段１５は、このテーブルで示される呼種ごとの呼量の比率に応じて、呼種に割り当てる回線リソースを配分する。そして、管理テーブル更新手段１５は、該回線リソースの配分に対応させて回線リソース管理テーブル１６を更新する。回線リソース管理テーブル１６は、呼種に割り当てる回線リソースの使用状態を回線ごとに管理するとともに、各回線の物理資源を管理するテーブルである。
【００３７】
図２は、回線リソース割合モデルテーブル１４の一実施の形態を示すテーブル構成図である。
【００３８】
本実施の形態では、呼種は、ＡＭＲ，ＰＫＴ，ＦＡＸの３種類を想定している。ここで、ＡＭＲは音声であり、ＰＫＴはパケットデータであり、ＦＡＸはファクシミリデータである。
【００３９】
図２を参照すると、回線リソース割合モデルテーブル１４は、左列にＡＭＲ，ＰＫＴ，ＦＡＸの呼種を示し、右列に呼種ごとの呼量の割合をＡ、Ｂ、Ｃで示している。呼量の割合は、パーセントであり、トータルで１００パーセントである。
【００４０】
このテーブルの右列は、一定時間（例えば１時間）毎に回線リソース割合モデル生成手段１３によって更新される。この更新方法について、以下に説明する。
【００４１】
回線リソース設定手段１２は、上位局より呼設定要求メッセージの受信時に、回線リソース割合モデル生成手段１３に呼の呼種を通知する。回線リソース割合モデル生成手段１３は、この通知される呼種の数を呼が発生するたびに呼種毎にカウントし、一定時間（例えば１時間）毎に呼種毎の統計を取る。カウントは、例えば、呼種ごとにワークエリアを設け、呼が生起するたびに、積算してゆけばよい。そして、回線リソース割合モデル生成手段１３は、ある一定時間（期間Ｔ；例えば１時間）の統計を取ると、回線リソース割合モデルテーブル１４の右列を、取られた統計値により更新する。管理テーブル更新手段１５は、この更新された統計値を、Ｔ＋１の期間に参照する。そして、回線リソース割合モデル生成手段１３は、その後も、一定時間毎に回線リソース割合モデルテーブル１４の右列の更新を繰り返す。
【００４２】
例えば、平日の１２時から１３時までの、呼種ごとの呼量の統計が８０％、１０％、１０％であったとする。この場合、回線リソース割合モデルテーブル１４は、次の１３時から１４時まで、Ａ、Ｂ、Ｃは、８０、１０、１０と示される。
【００４３】
図３は、回線リソース管理テーブル１６の一実施の形態を示すテーブル構成図である。
【００４４】
このテーブルは、テーブル１と、テーブル２から構成される。テーブル１は、呼種によりテーブル２を索引するテーブルである。テーブル２は、呼種ごとにサブテーブルに分かれ、各サブテーブルは回線番号ごとにその使用状態と回線リソースの物理資源番号とを管理する。
【００４５】
ここで、回線リソースは、複数のカードから構成され、各カードは、複数のモデム（特許請求の範囲で記載の「リソース単位」に相当）から構成されている。なお、カードとは、回線リソースのハードウエアの分割単位であり、カードの数は、システム規模によって異なる。又、１モデムは、１音声チャネルの帯域を処理できるものとする。
【００４６】
図３の場合、回線リソースのカード０からカードＰまでがＡＭＲに、カードＰ＋１からカードＱまでがＰＫＴに、カードＱ＋１からＦＡＸに割り当てられている。この例では、カードは４モデムから構成され、ＡＭＲは１回線に１モデムを必要とし、ＰＫＴは１回線に４モデムを必要とし、ＦＡＸは１回線に８モデムを必要とすると仮定している。現実には、ＰＫＴは、６４ｋｂｐｓ、１２８ｋｂｐｓ、２５６ｋｂｐｓ、３８４ｋｂｐｓ等があり、ＰＫＴだけでも少なくとも５種以上の呼種があることになる。
【００４７】
上述したように、管理テーブル更新手段１５は、一定時間（例えば１時間）毎に回線リソース割合モデルテーブルを参照する。そして、管理テーブル更新手段１５は、テーブルで示される呼種ごとの呼量の比率に応じて、呼種に割り当てる回線リソースを再配分する。なお、管理テーブル更新手段１５は、最初は、決められた配分で、カード０〜カードＺのモデムを若番から順番に連続的に、ＡＭＲ，ＰＫＴ，ＦＡＸに配分する。なお、Ｚは、システムによって異なる０以上の整数である。
【００４８】
以下に、管理テーブル更新手段１５による回線リソースの再配分方法について説明する。
【００４９】
管理テーブル更新手段１５は、起動されると、回線リソース割合モデルテーブル１４の呼種ごとの呼量の比率を読みとり、呼種ごとに必要とされるモデム数の比率に読み替える。なぜなら、ＡＭＲの場合は、１モデム回線を１回線とし、ＰＫＴあるいはＦＡＸの場合は、おのおの定められた数のモデムを１回線とするからである。いま、呼種ごとの呼量の比率が、Ａ：Ｂ：Ｃ、であり、１回線あたり、ＡＭＲの場合１モデム、ＰＫＴの場合４モデム、ＦＡＸの場合８モデムを必要と仮定する。そして回線リソースの総モデム数をＺとすると、再配分後の回線数（モデム数）は、ＡＭＲの場合、ＡＺ／（Ａ＋４Ｂ＋８Ｃ）となる。同様に、ＰＫＴの場合、４ＢＺ／（Ａ＋４Ｂ＋８Ｃ）、ＦＡＸの場合、８ＣＺ／（Ａ＋４Ｂ＋８Ｃ）となる。そして、これを回線数に直せば、ＡＭＲの場合、ＡＺ／（Ａ＋４Ｂ＋８Ｃ）、ＰＫＴの場合、ＢＺ／（Ａ＋４Ｂ＋８Ｃ）、ＦＡＸの場合、ＣＺ／（Ａ＋４Ｂ＋８Ｃ）となる。
【００５０】
管理テーブル更新手段１５は、再配分後の呼種ごとの回線数と、現在のテーブル２の、呼種ごとのサブテーブルに示された回線数とを比較する。管理テーブル更新手段１５は、比較の結果、再配分後の回線数が増加する呼種に対しては、そのサブテーブルを増加した回線数分拡張する。また、管理テーブル更新手段１５は、再配分後の回線数が減少する呼種に対しては、そのサブテーブルから減少すべき回線数分の回線データを削除する。削除は、空き回線を中心に行われる。空き回線だけでは、必要な削除すべき回線数に達しない場合は、呼の終了による空き回線の発生を待ち、空き回線の発生の都度、削除の対象とする。そして、管理テーブル更新手段１５は、あるサブテーブルから削除された回線のリソースを他のサブテーブルに追加された回線に割り当てる。
【００５１】
尚、ＡＭＲのサブテーブルの回線リソースをＰＫＴあるいはＦＡＸのサブテーブルに割り当てる場合、１回線あたりＰＫＴの場合４つの、ＦＡＸの場合８つの連続した空きモデムを確保する必要がある。管理テーブル更新手段１５は、この時、ＡＭＲのサブテーブルに、連続したリソース（空きモデム）が得られない場合がある。この場合は、管理テーブル更新手段１５は、「背景技術」で説明したような、カード内のリソース再配置処理あるいは、カード間のリソース再配置処理を行う必要がある。ただし、この連続したリソースが得られない場合のカード内のリソース再配置処理やカード間のリソース再配置処理は、従来のように呼を受けるたびに行う必要はなく、一定時間毎に行えばよい。
【００５２】
例えば、回線リソースの総モデム数を１６０とし、ＡＭＲの場合１モデム、ＰＫＴの場合４モデム、ＦＡＸの場合８モデムを必要と仮定する。そして、回線リソース割合モデルテーブル１４のＡ、Ｂ、Ｃが、８０、２０、０であり、その時点のテーブル２のＡＭＲ，ＰＫＴ，ＦＡＸのサブテーブルの回線数が、おのおの、１６０、０、０であるとする。上述の説明によれば、再配分後の回線数（モデム数）は、ＡＭＲの場合、（８０×１６０）／（８０＋４×２０＋０）＝８０となる。同様に、ＰＫＴの場合、（４×２０×１６０）／（８０＋４×２０＋０）＝８０となる。ＦＡＸの場合、０となる。これを回線数に直せば、ＡＭＲの場合８０回線、ＰＫＴの場合、２０回線となる。すなわち、ＡＭＲのサブテーブルの回線数が、１６０から８０になり、ＰＫＴのサブテーブルの回線数が、０から２０になる。管理テーブル更新手段１５は、ＡＭＲのサブテーブルから８０回線分削除し、そのリソースをＰＫＴのサブテーブルの２０回線に割り当てる。この時、ＰＫＴのサブテーブルの１回線に割り当てるモデム（リソース）は、４つの連続した空きモデムである必要がある。
【００５３】
なお、回線リソース割合モデル生成手段１３、管理テーブル更新手段１５ともに、同じ周期で一定時間（例えば１時間）毎に起動されるが、起動時間は必ずしも同期している必要はない。
【００５４】
回線リソース設定手段１２は、上位局２から呼設定要求メッセージの受信時に更新された呼種に対応するテーブル２を参照し、空きのリソース（モデム）を選択し、チャネルに割り当てる。
【００５５】
次に、本発明の動作について図面を参照して詳細に説明する。
【００５６】
図４は、本発明に係わる無線基地局の最良の形態を示す動作説明図である。
【００５７】
（ステップ１）まず、無線基地局は管理テーブル更新手段１５により、一定時間（例えば１時間）毎に、回線リソース管理テーブル１６を更新する。なお、回線リソース管理テーブル１６の構成及び更新方法については、上述の説明を参照されたい。
【００５８】
（ステップ２）無線基地局は、上位局より呼設定要求メッセージの受信時に、回線リソース設定手段１２により空きのリソース（モデム）を選択し、チャネルに割り当てる。そして、無線基地局は、上位局に呼設定応答メッセージを返送する。なお、回線リソース設定手段１２により空きのリソース（モデム）を選択する方法については、上述の説明を参照されたい。
【００５９】
（ステップ３）次に、無線基地局は、上位局より呼接続要求メッセージの受信時に、選択された空きのリソースを用いて呼の接続処理を行い、上位局に呼接続応答メッセージを返送する。なお、この時、呼ごとに図５に示すようなユーザデータを生成する。なお、呼の接続処理は、従来の周知技術と同等のためここでは詳細にふれない。
【００６０】
（ステップ４）次に、無線基地局は、上位局より呼解放要求メッセージを受信すると、定められたプロトコルに従い呼の切断処理を行い、上位局に呼解放応答メッセージを返送する。この切断処理は、回線リソース管理テーブル１６の使用していたリソースの解放処理及び、ユーザデータの解放処理も含んで従来の周知技術と同等のためここでは詳細にふれない。
【００６１】
以上、上述の実施の形態では、無線基地局における回線リソース割当方法について説明した。
【００６２】
本発明により、パケット通信やＦＡＸ通信のような伝送レートの高い情報の場合も、回線リソースの割当処理を迅速に行うことができる効果がある。
【００６３】
その理由は、回線リソースを一定時間毎に呼種ごとの呼量の比率に応じて呼種ごとに配分するようにしたため、伝送レートの高い情報も回線単位でリソースが割り当てられるようになったからである。即ち、上位局から呼を受けるたびに連続した空モデムの探索をする必要がなくなるからである。また、他の理由は、カード内に連続した空モデムが存在しない場合のカード内のリソース再配置処理やカード間のリソース再配置処理を、呼を受けるたびにではなく、一定時間毎に行えばよいからである。
【００６４】
しかも、呼種に割り当てる回線リソースは、一定周期で呼種ごとの呼量の比率に応じて再配分される。このため、各呼種がリソース不足でブロックされる確率は、呼種ごとの呼量の比率の変動が小さい場合は、従来と同等にすることも可能である。
【００６５】
また、本発明は無線基地局に限定されるものではなく、パケット交換機やＡＴＭ（非同期転送モード）交換機における回線のリソース割当時にも同様に適用できることを指摘しておく。
【図面の簡単な説明】
【００６６】
【図１】本発明に係わる無線基地局の無線リソース割当処理部１の最良の形態を示すブロック図である。
【図２】図１の回線リソース割合モデルテーブル１４の一実施の形態を示すテーブル構成図である。
【図３】図１の回線リソース管理テーブル１６の一実施の形態を示すテーブル構成図である。
【図４】本発明に係わる無線基地局の最良の形態を示す動作説明図である。
【図５】本発明に係わるユーザデータの一構成例を示す図である。
【図６】従来の無線基地局の最良の形態を示す動作説明図である。
【符号の説明】
【００６７】
１    無線リソース割当処理部
２    上位局
１０    受信手段
１１    送信手段
１２    回線リソース設定手段
１３    回線リソース割合モデル生成手段
１４    回線リソース割合モデルテーブル
１５    管理テーブル更新手段
１６    回線リソース管理テーブル
【図１】
2005341280.tif 000003
【図２】
2005341280.tif 000004
【図３】
2005341280.tif 000005
【図４】
2005341280.tif 000006
【図５】
2005341280.tif 000007
【図６】
2005341280.tif 000008